(57)【特許請求の範囲】
【請求項１】
繋止突起ｃ・ｃを設けた前面内板３１と前上枠板３２と前面板３０と繋止孔ｄ・ｄ・ｄ・ｄを設けた底面板２０と後面板３０と後上枠板３２と後面内板３１とを、折り目線を介して順に連設して、この底面板２０の左右辺に、折込み片４３・４３を連設した左右の側面板４０・４０と左右の上枠板４２・４２と折込み片４３・４３を連設して繋止突起ｅ・ｅと繋止切欠きｆ・ｆとを設けた左右の側面内板４１・４１とを、それぞれ折り目線を介して順に連設した、偏平直方体トレー状の二重壁式の紙容器において、
底面板２０と左右の側面板４０・４０と左右の上枠板４２・４２と左右の側面内板４１・４１とを、左右方向に２分割以上に分割して、この分割した底面板２０と底面板２０との間に、上辺にＶ字状の固定切欠きａ・ａを設けたミシン目等の切断予定線である逆折り線を有する分割仕切り板１０を、折り目線を介して連設して、また分割した左右の側面内板４１・４１と左右の側面内板４１・４１との間に、右辺又は左辺に逆Ｖ字状の挿入切欠きｂを設けたミシン目等の切断予定線である折り目線を有する仕切り固定板１１・１１を、それぞれ逆折り線を介して連設して、この分割した左右の側面内板４１・４１・４１・４１を折込んで、折立てた分割仕切り板１０の固定切欠きａ・ａに、折立てた仕切り固定板１１・１１を、それぞれ挿入切欠きｂを介して挿入して固定したことを特徴とする分割仕切り付の紙容器。
【請求項２】
前記逆折り線を有する分割仕切り板１０の左右辺に、折込み片１３・１３を、それぞれ折り目線を介して連設したことを特徴とする請求項１記載の分割仕切り付の紙容器。
【請求項３】
前記前面板３０と後面板３０との上辺の左右端部に、繋止舌片３５付の隅の扇状板３４・３４を、それぞれ折り目線を介して連設して、また前記の分割した左右の上枠板４２・４２・４２・４２の前部又は後部に、それぞれ縦長の繋止孔ｇを設けたことを特徴とする請求項１または２記載の分割仕切り付の紙容器。
【発明の詳細な説明】
【０００１】
【発明の属する技術分野】
本発明は、野菜・果物類や水産魚介類や各種部品類などを収容する、板紙製や段ボール紙製などの、１枚物の無駄がない長方形状のブランクから成る、一体構造の分割仕切り付
の、偏平直方体トレー状の二重壁式の紙容器に関する。
【０００２】
【従来の技術】
従来から、野菜・果物類や水産魚介類や各種部品類などを収容する、板紙製や段ボール紙製などの、例えば図３に示すような、繋止突起ｃ・ｃを設けた前面内板３１と前上枠板３２と前面板３０と繋止孔ｄ・ｄ・ｄ・ｄを設けた底面板２０と後面板３０と後上枠板３２と繋止突起ｃ・ｃを設けた後面内板３１とを、折り目線（符号がない１点鎖線；以下同じ）を介して順に連設して、この底面板２０の左右辺に、折込み片４３・４３を連設した左右の側面板４０・４０と左右の上枠板４２・４２と折込み片４３・４３を連設して繋止突起ｅ・ｅと繋止切欠きｆ・ｆとを設けた左右の側面内板４１・４１とを、それぞれ折り目線を介して順に連設した、図３Ａに示す１枚物の無駄がない長方形状のブランクから成る、偏平直方体トレー状の二重壁式の紙容器において、例えば図３Ｂに示す別体の仕切り５０を装着した、各種の仕切り付の紙容器が広く用いられている。
【０００３】
【発明が解決しようとする課題】
ところが従来の、例えば図３に示す仕切り付の紙容器については、組立てなどが簡単で作製費用が廉価な、図３Ａに示す１枚物の無駄がない長方形状のブランクから成る、偏平直方体トレー状の二重壁式の紙容器であるものの、例えば図３Ｂに示す別体の仕切り５０を装着するために、この別体の仕切り５０がずれたり浮き上がったりして、野菜・果物類や水産魚介類や各種部品類などを収容し難いなどの、また収容した野菜・果物類や水産魚介類や各種部品類などを確実に保持できないなどの、別体の仕切り５０の自立安定性に問題があって、この別体の仕切り５０を紙容器の底面板２０に貼着する必要があるなどの、余分な手間がかかる仕切り付の紙容器であった。また、当然のこととして紙容器を仕切りを介して２つに分離することは不可能である。
【０００４】
ところで、本発明の目的は、野菜・果物類や水産魚介類や各種部品類などを収容する、板紙製や段ボール紙製などの、組立てなどが簡単で作製費用が廉価な１枚物の無駄がない長方形状のブランクから成る、自立安定性が優れた一体構造の、分割仕切り付の紙容器を提供することにある。
【０００５】
【課題を解決するための手段】
本発明の分割仕切り付の紙容器は、繋止突起ｃ・ｃを設けた前面内板３１と前上枠板３２と前面板３０と繋止孔ｄ・ｄ・ｄ・ｄを設けた底面板２０と後面板３０と後上枠板３２と後面内板３１とを、折り目線を介して順に連設して、この底面板２０の左右辺に、折込み片４３・４３を連設した左右の側面板４０・４０と左右の上枠板４２・４２と折込み片４３・４３を連設して繋止突起ｅ・ｅと繋止切欠きｆ・ｆとを設けた左右の側面内板４１・４１とを、それぞれ折り目線を介して順に連設した、従来の仕切り付の紙容器と同様の、図３に示す偏平直方体トレー状の二重壁式の紙容器において、
図１・図２に示すように、底面板２０と左右の側面板４０・４０と左右の上枠板４２・４２と左右の側面内板４１・４１とを、左右方向に２分割以上に分割して、この分割した底面板２０と底面板２０との間に、上辺（図１では逆折り線上）にＶ字状の固定切欠きａ・ａを設けたミシン目等の切断予定線である逆折り線（符号がない破線；以下同じ）を有する分割仕切り板１０を、折り目線（符号がない１点鎖線）を介して連設して、また分割した左右の側面内板４１・４１と左右の側面内板４１・４１との間に、右辺又は左辺（図１では折り目線上）に逆Ｖ字状（図１では横Ｖ字状）の挿入切欠きｂを設けたミシン目等の切断予定線である折り目線を有する仕切り固定板１１・１１を、それぞれ逆折り線を介して連設して、この分割した左右の側面内板４１・４１・４１・４１を折込んで、折立てた分割仕切り板１０の固定切欠きａ・ａに、折立てた仕切り固定板１１・１１を、それぞれ挿入切欠きｂを介して挿入して固定した分割仕切り付の紙容器である。
【０００６】
【０００７】
また加えて、本発明の分割仕切り付の紙容器は、図１・図２に示すように、前記の逆折り線を有する分割仕切り板１０の左右辺に、折込み片１３・１３を、それぞれ折り目線を介して連設した分割仕切り付の紙容器である。
【０００８】
さらに加えて、本発明の分割仕切り付の紙容器は、図１・図２に示すように、前記の前面板３０と後面板３０との上辺（図１では下辺又は上辺）の左右端部に、繋止舌片３５付の隅の扇状板３４・３４を、それぞれ折り目線を介して連設して、また前記の分割した左右の上枠板４２・４２・４２・４２の前部又は後部に、それぞれ縦長の繋止孔ｇを設けた分割仕切り付の紙容器である。
【０００９】
本発明の分割仕切り付の紙容器においては、前述した従来の仕切り付の紙容器と同様の、図３に示す偏平直方体トレー状の二重壁式の紙容器において、
底面板２０と左右の側面板４０・４０と左右の上枠板４２・４２と左右の側面内板４１・４１とを、左右方向に２分割又は３分割・４分割して、この分割した底面板２０と底面板２０との間に、上辺にＶ字状の固定切欠きａ・ａを設けたミシン目等の切断予定線である逆折り線を有する分割仕切り板１０を、折り目線を介して連設して、また分割した左右の側面内板４１・４１と左右の側面内板４１・４１との間に、右辺又は左辺に逆Ｖ字状の挿入切欠きｂを設けたミシン目等の切断予定線である折り目線を有する仕切り固定板１１・１１を、それぞれ逆折り線を介して連設して、図２Ａ・図２Ｂに示すように、この分割した左右の側面内板４１・４１・４１・４１を折込んで、折立てた分割仕切り板１０の固定切欠きａ・ａに、折立てた仕切り固定板１１・１１を、それぞれ挿入切欠きｂを介して挿入して固定したことによって、図２Ｃに示すように、自立安定性が優れた一体構造の、分割仕切り付の紙容器を提供することができる。
【００１０】
しかも、本発明の分割仕切り付の紙容器においては、底面板２０と左右の側面板４０・４０と左右の上枠板４２・４２と左右の側面内板４１・４１とを、左右方向に２分割又は３分割・４分割したにもかかわらず、図２Ｂに示すように、折立てた分割仕切り板１０の固定切欠きａ・ａに、折立てた仕切り固定板１１・１１を挿入して固定したことによって、偏平直方体トレー状の二重壁式の紙容器の分割された区画が分割仕切り板１０のミシン目等の切断予定線である逆折り線を介して折れ曲がってしまうことがなく、強度や保形性などを損なうことがないものである。
【００１１】
加えて、本発明の分割仕切り付の紙容器においては、前記の逆折り線を有する分割仕切り板１０の左右辺に、折込み片１３・１３を、それぞれ折り目線を介して連設したことによって、図２Ａ・図２Ｂに示すように、この分割仕切り板１０の折込み片１３・１３・１３・１３を巻込みながら、分割した左右の側面内板４１・４１・４１・４１を折込んで、さらに自立安定性が優れた一体構造の、分割仕切り付の紙容器を提供することができる。
【００１２】
また加えて、本発明の分割仕切り付の紙容器においては、前記の前面板３０と後面板３０との上辺の左右端部に、繋止舌片３５付の隅の扇状板３４・３４を、それぞれ折り目線を介して連設して、また前記の分割した左右の上枠板４２・４２・４２・４２の前部又は後部に、それぞれ縦長の繋止孔ｇを設けたことによって、図２Ｃに示すように、前面内板３１と後面内板３１とを折込んで、分割した左右の上枠板４２・４２・４２・４２の繋止孔ｇ・ｇ・ｇ・ｇに、この隅の扇状板３４・３４・３４・３４の繋止舌片３５・３５・３５・３５を挿入して繋止して、自立安定性が優れた一体構造の、積重ねが容易で体裁が良い分割仕切り付の紙容器を提供することができる。
【００１３】
【発明の実施の形態】
本発明の分割仕切り付の紙容器においては、後述する実施例に示すように、通常の印刷
をした適宜の板紙や段ボール紙などを用いて、通常の打抜型を用いた打抜工程で、図１に示す１枚物の無駄がない長方形状のブランクを作製して、簡単な手作業で、図２Ａ・図２Ｂ・図２Ｃに示すように、分割した左右の側面内板４１・４１・４１・４１を折込んで、折立てた分割仕切り板１０の固定切欠きａ・ａに、折立てた仕切り固定板１１・１１を、それぞれ挿入切欠きｂを介して挿入して固定するなどして、野菜・果物類や水産魚介類や各種部品類などを収容する、組立てなどが簡単で作製費用が廉価な、自立安定性が優れた一体構造の、分割仕切り付の紙容器を提供することができる。
【００１４】
【実施例】
図１は、本発明の実施例における、分割仕切り付の紙容器のブランクの平面図である。
また図２Ａ・図２Ｂは、本発明の実施例における、分割仕切り付の紙容器の組立て工程を示す斜視図であって、図２Ｃは、組立て後の分割仕切り付の紙容器の斜視図である。
【００１５】
すなわち、左右辺に繋止突起ｃ・ｃを設けた前面内板３１と、前上枠板３２と、上辺（図１では下辺）の左右端部に繋止舌片３５付の隅の扇状板３４・３４を連設した前面板３０と、左右辺の前後部に繋止孔ｄ・ｄ・ｄ・ｄを設けた底面板２０と、上辺の左右端部に繋止舌片３５付の隅の扇状板３４・３４を連設した後面板３０と、後上枠板３２と、左右辺に繋止突起ｃ・ｃを設けた後面内板３１とを、折り目線を介して順に連設して、この底面板２０の左右辺に、前後辺に折込み片４３・４３を連設した左右の側面板４０・４０と、前後部に縦長の繋止孔ｇ・ｇを設けた左右の上枠板４２・４２と、前後辺に折込み片４３・４３を連設して左辺又は右辺に繋止突起ｅ・ｅと繋止切欠きｆ・ｆとを設けた左右の側面内板４１・４１とを、それぞれ折り目線を介して順に連設した、偏平直方体トレー状に製箱する二重壁式の紙容器のブランクにおいて、
底面板２０と左右の側面板４０・４０と左右の上枠板４２・４２と左右の側面内板４１・４１とを、左右方向に２分割して、この分割した底面板２０と底面板２０との間に、上辺（図１では逆折り線上）にＶ字状の固定切欠きａ・ａを設けて左右辺に折込み片１３・１３・１３・１３を連設した逆折り線を有する分割仕切り板１０を、折り目線を介して連設して、また分割した左右の側面内板４１・４１と左右の側面内板４１・４１との間に、右辺又は左辺（図１では折り目線上）に逆Ｖ字状（図１では横Ｖ字状）の挿入切欠きｂを設けた折り目線を有する仕切り固定板１１・１１を、それぞれ逆折り線を介して連設した、図１に示す分割仕切り付の紙容器のブランクであって、外面側に通常の印刷をした段高が２.５ｍｍの、耐水性などを付与したＢ段ボール紙を用いて、通常の打抜型を用いた打抜工程で、泥付のいちご苗などを収容する縦・横・高さが約３６×２５×６ｃｍの、本発明の実施例における、１枚物の無駄がない長方形状の分割仕切り付の紙容器のブランクを作製した。
【００１６】
次に、図２Ａに示すように、図１に示す分割仕切り付の紙容器のブランクの、全ての符号がない１点鎖線で示す折り目線を谷折り（内面側が谷になる；以下同じ）して、また全ての符号がない破線で示す逆折り線を山折り（内面側が山になる；以下同じ）して、簡単な手作業で、図２Ｂに示すように、分割仕切り板１０の折込み片１３・１３・１３・１３を巻込みながら、分割した左右の側面内板４１・４１・４１・４１を折込んで、逆折り線を山折りして折立てた分割仕切り板１０の固定切欠きａ・ａに、折り目線を谷折りして折立てた仕切り固定板１１・１１を、それぞれ挿入切欠きｂを介して挿入して固定した後に、分割した底面板２０・２０の繋止孔ｄ・ｄ・ｄ・ｄに、この折込んだ左右の側面内板４１・４１・４１・４１の繋止突起ｅ・ｅ・ｅ・ｅを挿入して繋止して、続いて分割した左右の側面板４０・４０・４０・４０と分割した左右の側面内板４１・４１・４１・４１との折込み片４３・４３・４３・４３・４３・４３・４３・４３を巻込みながら、前面内板３１と後面内板３１とを折込んで、折込んだ左右の側面内板４１・４１・４１・４１の繋止切欠きｆ・ｆ・ｆ・ｆに、この折込んだ前面内板３１と後面内板３１との繋止突起ｃ・ｃ・ｃ・ｃを挿入して繋止した後に、図２Ｃに示すように、分割した左右の上枠板４２・
４２・４２・４２の繋止孔ｇ・ｇ・ｇ・ｇに、隅の扇状板３４・３４・３４・３４の繋止舌片３５・３５・３５・３５を挿入して繋止して、本発明の実施例における、自立安定性が優れた一体構造の分割仕切り付の、偏平直方体トレー状の二重壁式の紙容器を作製した。
【００１７】
すなわち、本実施例の分割仕切り付の紙容器においては、通常の印刷をして耐水性などを付与したＢ段ボール紙を用いて、通常の打抜型を用いた打抜工程で、１枚物の無駄がない長方形状のブランクを作製して、簡単な手作業で、図２Ｂに示すように、分割した左右の側面内板４１・４１・４１・４１を折込んで、折立てた分割仕切り板１０の固定切欠きａ・ａに、折立てた仕切り固定板１１・１１を、それぞれ挿入切欠きｂを介して挿入して固定したことによって、いちごパックなどを収容する組立てなどが簡単で作製費用が廉価な自立安定性が優れた一体構造の分割仕切り付の紙容器が得られた。
【００１８】
加えて、本実施例の分割仕切り付の紙容器においては、図２Ｂに示すように、分割仕切り板１０の折込み片１３・１３・１３・１３を巻込みながら、分割した左右の側面内板４１・４１・４１・４１を折込んだために、さらに自立安定性が優れた一体構造の分割仕切り付の紙容器が得られた。
【００１９】
また加えて、本実施例の分割仕切り付の紙容器においては、図２Ｃに示すように、前面内板３１と後面内板３１とを折込んで、分割した左右の上枠板４２・４２・４２・４２の繋止孔ｇ・ｇ・ｇ・ｇに、隅の扇状板３４・３４・３４・３４の繋止舌片３５・３５・３５・３５を挿入して繋止したために、自立安定性が優れた一体構造の、積重ねが容易で体裁が良い分割仕切り付の紙容器が得られた。
これを、分割仕切り板１０の逆折り線と固定板１１・１１の折り目線とをミシン目のような切断予定線としたものである。このため、紙容器を分断して個々に容器として使用することができる。折込み片１３が側面板４０と側面内板４１とで巻き込まれているため、分断した後も紙容器の保形性は維持される。
【００２０】
【発明の効果】
以上、作用及び実施例に示すとおり、本発明の分割仕切り付の紙容器においては、野菜・果物類や水産魚介類や各種部品類などを収容する、板紙製や段ボール紙製などの、組立てなどが簡単で作製費用が廉価な１枚物の無駄がない長方形状のブランクから成る、自立安定性が優れた一体構造の分割仕切り付の、偏平直方体トレー状の二重壁式の紙容器を提供することができる。
【図面の簡単な説明】
【図１】  本発明の実施例における分割仕切り付の紙容器のブランクの平面図である。
【図２】  本発明の実施例における、図２Ａ・図２Ｂは、分割仕切り付の紙容器の組立て工程を示す斜視図であって、図２Ｃは、組立て後の分割仕切り付の紙容器の斜視図である。
【図３】  図３Ａは、従来の仕切り付の紙容器のブランクの平面図であって、図３Ｂは、従来の仕切り付の紙容器の斜視図である。
【符号の説明】
１０        …分割仕切り板
１１        …仕切り固定板
１３・４３  …折込み片
２０        …底面板
３０        …前面板・前面板
３１        …前面内板・後面内板
３２        …前上枠板・後上枠板
３４        …隅の扇状板
３５        …繋止舌片
４０        …左右の側面板
４１        …左右の側面内板
４２        …左右の上枠板
５０        …別体の仕切り
ａ          …固定切欠き
ｂ          …挿入切欠き
ｃ・ｅ      …繋止突起
ｄ・ｇ      …繋止孔
ｆ          …繋止切欠き
【図１】
0003817800.tif 000002
【図２】
0003817800.tif 000003
【図３】
0003817800.tif 000004